(57)【特許請求の範囲】
【請求項１】
シートベルトのアンダー部に装着される係止帯と、シートに着座した乗員の腰の後に当たるようにシートの着座部と背もたれ部との間に設置されるストッパー部材と、一端が上記係止帯の座席前方側に接続され、他端が着座部の下部から、着座部と背もたれ部との間の隙間を通って上記ストッパー部材に接続されるベルトとを備えたことを特徴とするシートベルト補助具。
【請求項２】
シートベルトのアンダー部に装着される係止帯と、シートの着座部上部に設置される着座部材と、一端が上記係止帯の座席前方側に接続され、他端が上記着座部材の座席前方側に接続されるベルトとを備え、上記着座部材の左，右の側面に、シートベルトのアンダー部の位置をシートの着座部前方にずらすためのベルト掛け具を設けたことを特徴とするシートベルト補助具。
【請求項３】
上記ベルトを上記係止帯に着脱可能に取り付けたことを特徴とする請求項１又は請求項２に記載のシートベルト補助具。
【請求項４】
上記ベルトの長さを調整可能としたことを特徴とする請求項１〜請求項３のいずれかに記載のシートベルト補助具。
【発明の詳細な説明】
【０００１】
【発明の属する技術分野】
本発明は、シートベルトを着用する際に使用するシートベルト補助具に関するもので、特に、妊婦等が使用するためのシートベルト補助具に関する。
【０００２】
【従来の技術】
現在、法律により、乗用車の運転席あるいは助手席の乗員には、衝突時等の安全性確保のため、シートベルトの着用が義務づけられているが、特に、乗員が妊婦である場合には、シートベルトが妊婦の腹部を圧迫するので、妊婦が運転したり助手席へ座るのが大変であった。また、万一事故が起こった場合には衝撃が腹部に直接かかるので、胎児への影響も大きいといった問題点があった。
そこで、図６（ａ），（ｂ）に示すように、シートベルト１の腹部を固定する部位であるアンダー部１ａに帯状の係止帯５１を装着し、この上記係止帯５１をクッション材５２の前方から上部に突出するゴムベルト等の支持部材５３を介して取り付ける構成のシートベルト補助具５０が提案されている。具体的には、シート２０の着座部２１に上記クッション材５２を敷き、これを背もたれ部２２にベルト５４で固定した後、乗員である妊婦Ａが着座してシートベルト１を引き出して着用する。次に、シートベルト１のアンダー部１ａのほぼ中央部を係止帯５１の帯状部材５１ａで包み込み、帯状部材５１ａの所定の箇所に設けられた一対の板状の係止用テープ５１ｂで上記帯状部材５１ａの端部を接続して上記係止帯５１をシートベルト１のアンダー部１ａに装着する。これにより、上記アンダー部１ａを着座部２１の前方にずらして、シートベルト１のアンダー部１ａによる妊婦Ａの腹部Ｆへの圧迫を低減する。
【０００３】
【発明が解決しようとする課題】
しかしながら、上記従来のシートベルト補助具５０は、ゴムベルト等の支持部材５３に固定された係止帯５１が着座部分に突出しているため、妊婦Ａが着座する際に邪魔になり、スカートをはいている場合には、特に、装着しにくいといった問題点があった。
その上、着座後も、支持部材５３がシートベルト１に引き戻され、係止帯５１が着座部２１から常に突出して支持された状態となるため、上記係止帯５１の両端部が乗員（妊婦Ａ）の太股部に当たってしまい、運転しづらいだけでなく、ズボンをはいていても太股部が痛くなるなど、実用的ではなかった。
【０００４】
本発明は、従来の問題点に鑑みてなされたもので、装着が容易で、かつ、快適に使用することのできる、シートベルト補助具を提供することを目的とする。
【０００５】
【課題を解決するための手段】
本発明の請求項１に記載のシートベルト補助具は、シートベルトのアンダー部に装着される係止帯と、シートに着座した乗員の腰の後に当たるようにシートの着座部と背もたれ部との間に設置されるストッパー部材と、一端が上記係止帯の座席前方側に接続され、他端が着座部の下部から、着座部と背もたれ部との間の隙間を通って上記ストッパー部材に接続されるベルトとを備えたもので、これにより、着座部分には従来のように上部に突出する部材がなく、かつ、係止帯も座席前方側に十分に引き込むことができるので、上記アンダー部により両足の付け根を確実にホールドできるとともに、快適な状態でシートベルト着用することが可能となる。
請求項２に記載のシートベルト補助具は、シートベルトのアンダー部に装着される係止帯と、シートの着座部上部に設置される着座部材と、一端が上記係止帯の座席前方側に接続され、他端が上記着座部材の座席前方側に接続されるベルトとを備え、上記着座部材の左，右の側面に、シートベルトのアンダー部の位置をシートの着座部前方にずらすためのベルト掛け具を設けたもので、これにより、シートベルト補助具の着脱を更に容易にすることが可能となり、また、アンダー部の座席前方側への引き込みが更に容易となる。
請求項３に記載のシートベルト補助具は、請求項１又は請求項２に記載のシートベルト補助具において、ベルトを上記係止帯に着脱可能に取り付けるようにしたものである。
請求項４に記載のシートベルト補助具は、妊婦の体型や自動車の座席等の違いによるアンダー部の引き込みの強弱（引き込み量）を調整するために、上記ベルトの長さを調整可能としたものである。
【００１０】
【発明の実施の形態】
以下、本発明の実施の形態について、図面に基づき説明する。
実施の形態１．
図１（ａ），（ｂ）は、本実施の形態１に係る妊婦用シートベルト補助具１０を示す図で、各図において、１１は着座時に乗員（妊婦）の両太股の上に位置される長さの帯状部材１１ａと、この帯状部材１１ａの一方の端部を他方の端部に係止するための接続部材であるホック１１ｂとを備え、シートベルト１のアンダー部１ａを包み込んで、上記アンダー部１ａに装着される係止帯、１２はシート２０の着座部２１と背もたれ部２２との間に設置される、クッション材から成る塊状あるいは平板状のストッパー部材、１３は一端が上記係止帯１１の座席前方側に接続され、他端が着座部２１の下部から、着座部２１と背もたれ部２２との間の隙間を通って上記ストッパー部材１２に接続されるベルトである。
このベルト１３は、係止帯１１側に取り付けられた第１ベルト１３ａと、ストッパー部材１２に取り付けられた第２ベルト１３ｂとを、係止帯１１側に設けられた、一対の係止部材１４ａと挿入部材１４ｂとから成る係止具（バックル）１４により接続する構造となっており、上記係止具１４の挿入部材１４ｂの突出片１４ｐを係止部材１４ａの係止孔１４ｑに挿入したり引き抜いたりすることにより、係止帯１１とストッパー部材１２との接続及び切り離しができるようにしている。ここで、上記第１ベルト１３ａの他端側は係止具１４の係止部材１４ａに固定されているが、上記第２ベルト１３ｂの他端側１３ｚは自由端であり、これを挿入部材１４ｂのベルト長調整穴１４ｍ，１４ｎに順次通し、上記自由端（他端側１３ｚ）の引き出し長さを変えることにより、係止帯１１とストッパー部材１２との間のベルト長を調整する。
なお、上記ストッパー部材１２は、シート２０の着座部２１と背もたれ部２２との間に設置されるので、妊婦Ａが着座していない状態でも、第２ベルト１３ｂのストッパーの機能を有する。
【００１１】
次に、上記構成の妊婦用シートベルト補助具１０を用いたシートベルトの装着方法について、上記図１（ａ），（ｂ）及び図２を参照して説明する。
まず、シート２０の着座部２１と背もたれ部２２との間に第２ベルト１３ｂの一端が取り付けられているストッパー部材１２を設置し、係止具１４の挿入部材１４ｂに取り付けられた上記第２ベルト１３ｂの他端側を着座部２１の後部から下部を通して着座部２１の前部に位置させる。次に、乗員である妊婦Ａが上記ストッパー部材１２を腰の後ろに当てるようにして着座し、シートベルト１を引き出して図示しないシートベルト係止具に係止し、シートベルト１を着用した後、シートベルト１のアンダー部１ａのほぼ中央部を係止帯１１の帯状部材１１ａで包み、ホック１１ｂにより上記帯状部材１１ａの両端部を接続して係止帯１１をシートベルト１のアンダー部１ａに装着する。
そして、第１ベルト１３ａの他端側に取り付けられた係止具１４の係止部材１４ａに上記挿入部材１４ｂを接続し、上記第２ベルト１３ｂの自由端である他端側１３ｚの引き出し長さを変えてベルト１３の長さを調整し、係止帯１１を着座部２１の前方側に引き込むことにより、シートベルト１のアンダー部１ａを妊婦Ａの腹部Ｆから座席前方にずらして、妊婦Ａの両足の付け根を固定するようにする。
なお、第１ベルト１３ａと第２ベルト１３ｂとを接続した後に、係止帯１１をシートベルト１のアンダー部１ａに装着するようにしてもよい。
【００１２】
また、シート２０から降りる場合には、係止具１４を切り離し、図示しないシートベルト係止具へのシートベルト１の係止を解除して、シートベルト１を引き戻すだけでよい。すなわち、上記係止帯１１をアンダー部１ａから取り外すことは容易であるが、ストッパー部材１２を回収せず、かつ、係止帯１１をアンダー部１ａに装着したままにしておけば、次の着座時あるいは運転時には、アンダー部１ａに係止帯１１が装着されているシートベルト１を引き出して図示しないシートベルト係止具に係止し、第１ベルト１３ａと第２ベルト１３ｂとを接続してベルト１３の長さを調整するだけで妊婦用シートベルト補助具１０を装着することができる。
【００１３】
このように、本実施の形態１では、シートベルト１のアンダー部１ａに係止帯１１を装着するとともに、この係止帯１１とシート２０の着座部２１と背もたれ部２２との間に設置されるストッパー部材１２とを、一端が上記係止帯１１と座席前方側に接続され、他端がシート２０の着座部２１の下部を通って上記ストッパー部材１２に接続されるベルト１３で接続し、係止帯１１を着座部２１前方側に引き込むようにしてアンダー部１ａで妊婦Ａの両足の付け根を固定するようにしたので、アンダー部１ａの妊婦Ａの腹部Ｆへの圧迫を低減することができるだけでなく、従来のように着座部２１から上部に突出する部材がなく、また、従来の支持部材５３に相当するベルト１３や係止帯１１が妊婦の太股部に当たることもないので、快適な状態でシートベルト１を着用することができる。したがって、妊婦が運転したり助手席へ座る際の負担を大幅に低減することができるだけでなく、万一事故が起こった場合でも、衝撃が腹部Ｆに直接かかることがないので、胎児への影響も低減できるという利点を有する。
【００１４】
実施の形態２．
上記実施の形態１では、係止帯１１とストッパー部材１２とを、係止具１４を備えたベルト１３で接続する構成の妊婦用シートベルト補助具１０について説明したがって、図３（ａ），（ｂ）に示すように、上記ストッパー部材１２に代えて、シート２０の着座部２１に敷くクッション材１５を用いてもよい。この妊婦用シートベルト補助具１０Ａは、上記クッション材１５を着座部２１に敷いた後、妊婦Ａがこの上に着座することで、上記クッション材１５にストッパーの機能を持たせるようにしたもので、このクッション材１５の、シート２０の着座部２１前方側の側面１５ａに上記第２ベルト１３ｂの一端を接続し、上記第２ベルト１３ｂの他端側に上記係止部材１４ａを接続し、この係止部材１４ａに一端が係止帯１１に接続された第１ベルト１３ａの他端側に設けられた挿入部材１４ｂを挿入して係止する。
上記構成の妊婦用シートベルト補助具１０Ａでは、ベルト１３を着座部２１に通す必要がないので、シートベルト補助具１０Ａの着脱が更に容易となる。
なお、図３（ａ）に示すように、クッション材１５の、シート２０の着座部２１左右の側面１５ｂ，１５ｃのそれぞれに、ベルト掛け具であるＵ字状のフック体１６，１６を取り付け、図３（ｂ）に示すように、このフック体１６，１６にアンダー部１ａを掛けるようにすれば、アンダー部１ａの引き込みが更に容易となるとともに、アンダー部１ａを妊婦Ａの両足の付け根に確実に固定することができる。なお、上記フック体１６，１６は、アンダー部１ａの応力を受けるので、クッション材１５の外縁部に枠体１６Ｗを設け、この枠体１６Ｗの左右側面に固定することが望ましい。
【００１５】
なお、上記実施の形態２において、係止帯１１及びベルト１３ａ，１３ｂを省略して、クッション材１５の左右の側面１５ｂ，１５ｃのそれぞれに、Ｕ字状のフック体１６，１６を取り付けただけの構成としてもよい。この構成であっても、上記Ｕ字状のフック体１６，１６により、シートベルト１のアンダー部１ａを着座部２１の前方にずらし、上記アンダー部１ａで妊婦Ａの両足の付け根を固定することが可能である。
また、図４（ａ），（ｂ）に示すように、シート２０の両側面にＬ字状の掛け具１６ｐ、あるいは、縦断面がＴ字状の掛け具１６ｑを取り付け、図４（ｃ）に示すように、この掛け具１６ｐ（掛け具１６ｑ）に、シートベルト１のアンダー部１ａを掛けて前方にずらすようにしてもよい。
【００１６】
実施の形態３．
図５（ａ）は、本実施の形態３に係る妊婦用シートベルト補助具１０Ｂを示す図である。この妊婦用シートベルト補助具１０Ｂは、ベルト１７の両端側に、それぞれ、係止具１８を構成する係止部材１８ａと挿入部材１８ｂとを設けるとともに、上記ベルト１７に上記実施の形態１，２の係止帯１１を配置したもので、図５（ｂ）に示すように、上記係止帯１１をアンダー部１ａに装着するとともに、ベルト１７をシート２０の着座部２１の幅方向周回させて、妊婦Ａの両足の付け根を固定する。
これにより、係止帯１１を着座部２１の前方側に引き込み、アンダー部１ａとベルト１７との両方で妊婦Ａの両足の付け根を固定することができる。したがって、ベルト１７がシートベルトの機能を補助するとともに、ベルト１７が妊婦Ａの左右方向にのみ渡されるので、更に快適な状態でシートベルト１を着用することができる。
【００１７】
なお、上記実施の形態１〜３では、妊婦用シートベルト補助具について説明したが、本発明はこれに限るものではなく、一般の乗員でも上記構成のシートベルト補助具を使用することにより、快適な状態でシートベルト着用することができることは言うまでもない。
【００１８】
【発明の効果】
以上説明したように、本発明によれば、シートベルト補助具を、シートベルトのアンダー部に装着される係止帯と、シートに着座した乗員の腰の後に当たるようにシートの着座部と背もたれ部との間に設置されるストッパー部材と、一端が上記係止帯の座席前方側に接続され、他端が着座部の下部から、着座部と背もたれ部との間の隙間を通って上記ストッパー部材に接続されるベルトとから構成したので、着座部分に着座や運転の邪魔になる突出する部材をなくし、上記アンダー部により両足の付け根を確実にホールドすることができる。したがって、乗員、特に妊婦は快適な状態でシートベルト着用することができる。
また、上記ストッパー部材に代えて、シートの着座部上部に設置される着座部材を用い、さらに、上記着座部材の左，右の側面に、シートベルトのアンダー部の位置をシートの着座部前方にずらすためのベルト掛け具を設けたので、シートベルト補助具の着脱を更に容易にすることが可能となり、また、アンダー部の座席前方側への引き込みが更に容易となる。
【図面の簡単な説明】
【図１】  本発明の実施の形態１に係る妊婦用シートベルト補助具の構成を示す図である。
【図２】  本実施の形態１に係る妊婦用シートベルト補助具の装着状態を示す図である。
【図３】  本実施の形態２に係る妊婦用シートベルト補助具の構成と装着状態を示す図である。
【図４】  本発明による妊婦用シートベルト補助具の他の構成と装着状態を示す図である。
【図５】  本実施の形態３に係る妊婦用シートベルト補助具の構成と装着状態を示す図である。
【図６】  従来の妊婦用シートベルト補助具の構成と装着状態を示す図である。
【符号の説明】
１  シートベルト、１ａ  シートベルトのアンダー部、
１０，１０Ａ，１０Ｂ  妊婦用シートベルト補助具、１１  係止帯、１１ａ  帯状部材、１１ｂ  ホック、１２  ストッパー部材、１３  ベルト、１３ａ  第１ベルト、１３ｂ  第２ベルト、１４  係止具、１４ａ  係止部材、１４ｂ  挿入部材、１５  クッション材、１６  Ｕ字状のフック体、１６ｐ，１６ｑ  掛け具、１６Ｗ  枠体、２０  シート、２１  着座部、２２  背もたれ部、Ａ  妊婦、Ｆ  腹部。
【図１】
0003992987.tif 000002
【図２】
0003992987.tif 000003
【図３】
0003992987.tif 000004
【図４】
0003992987.tif 000005
【図５】
0003992987.tif 000006
【図６】
0003992987.tif 000007